(57)【要約】      （修正有）【課題】カゴ運搬器本体にハンドル、ペダル、アーム、車輪を取り付け、カゴの移動、積み下ろしまでの全作業を運搬器の操作で行うことにより、カゴの損傷を無くし、労働的負担を解消し、本体は防錆効果を保持する。【解決手段】錆びにくく耐久性のあるステンレス鋼で製作されたカゴ運搬器本体にハンドル１、ペダル２、アーム３、前輪４、後輪５を取り付けることにより、テコの原理を応用することができ、ハンドル１を力点、ペダル２を支点、カゴを持ち上げるアーム３を作用点として、重いカゴを小さな力で簡単に床から持ち上げ、ハンドル１を押すことにより後輪５が回転しカゴ運搬器を移動させることを可能とし、且つ、カゴを下ろす際はハンドル１をゆるめ、カゴを床に下ろすことにより前輪４が床に着地し、ハンドル１を引くことによりスムーズにカゴ運搬器からカゴを取り外すことができ、カゴの損傷を無くす。【選択図】図１
0003136303.tif 000002
【実用新案登録請求の範囲】
【請求項１】
少なくとも左右２本の棒状体から成るハンドルの下方先端部の両端に棒状のペダルを渡して設けると共に、左右両端部に大型の後輪を有する車輪受支柱を水平方向に設け、更に前記ハンドルの左右の棒状体における該車輪受支柱の上方位置に横支柱を配置して固定し、該横支柱の左右先端部から、先端をハの字状に広がるアームを先端に向かって低くなるように傾斜させて並設し該アームの左右の端部近傍に小型の前輪を施して成るカゴ運搬器。
【考案の詳細な説明】
【技術分野】
【０００１】  本考案は、漁業資材及び漁獲物などが入ったカゴを移動する運搬器に関するものである。
【背景技術】
【０００２】  漁港内のコンクリート上を漁業資材及び漁獲物などの入ったカゴを移動する際、カゴを引きずる、カゴを持ち上げ運ぶ、リヤカーにカゴを積み移動するなどの運搬方法がとられていた。
従来、カゴを移動する際に、人力以外でカゴを移動する方法としては、リヤカー等の車輪が付いた運搬器を使用するのが通常であるが、運搬器への積み下ろしは人力でやらなければならず、全作業を運搬器の操作で行える機器はなかった。
【考案の開示】
【考案が解決しようとする課題】
【０００３】  カゴを引きずって移動する場合は、プラスチック製のカゴを引きずるたびに、カゴ底がコンクリートの床と接触するため、擦り減り穴が開き、さらに、積載物の重さと床の摩擦力が加わるため、大きな労働的負担となる。カゴを傷めないために人力で持ち上げ運ぶ場合は、相当な体力が必要であり、労働的負担は計り知れない。リヤカー等の運搬器を使用した場合でも、人力で積み下ろしを行わなければならないため、労働的負担は解消されない。また、作業は海岸で行うため、金属の錆びが予想され、防錆効果のある素材の機器が求められる。従って、本考案のカゴ運搬器を使うことにより、カゴの損傷が無く、全作業を運搬器の操作で行うことで労働的負担が解消されるとともに、本体は防錆効果を保持し、前述の欠点を解決しようとするものである。
【課題を解決するための手段】
【０００４】  カゴ運搬器は錆びにくく耐久性のあるステンレス鋼で製作され、ハンドル、ペダル、アーム、前輪、後輪が取り付けられている。カゴ運搬器の機能はテコの原理を応用しており、ハンドルを力点、ペダルを支点、カゴを持ち上げるアームを作用点とし、重量のあるカゴを小さな力で簡単に床から持ち上げることを可能にした。前輪を小さく、後輪を大きく設定し、アームに傾斜を持たせ、アームの先端をハの字状に広げているので、カゴ運搬器をそのまま前進させることで、アームがカゴの突起の下に差し込まれる。片足をペダルに載せ、ハンドルを下げると前輪は床を離れ、アームに支えられてカゴが持ち上がり、後輪にカゴの重量がかかり、バランスを取りながらハンドルを押してカゴを移動する。ハンドルをゆるめることにより、床にカゴを下ろすことができ、前輪が床に着地後、ハンドルを引くことによりスムーズにカゴ運搬器からカゴを取り外すことができる仕組みとなり、問題点を解決している。
【考案の効果】
【０００５】  上述の様に、本考案のカゴ運搬器は、ハンドル、ペダル、アーム、車輪を取り付けたので、テコの原理を応用し、小さな力でカゴを持ち上げることができ、しかも、車輪を使用して簡易に移動ができ、さらにハンドルをゆるめることで運搬器からカゴを床に下ろすことができ、ハンドルを引くことにより運搬器からカゴを取り外すことができる仕組みとなり、引きずることによるカゴの損傷を防ぐことは勿論、全作業をカゴ運搬器の操作で行うことを可能とし、労働的負担の解消に役立つとともに、本体はステンレス鋼で製作されているため、防錆効果を保持することを可能とした。
【考案の実施するための最良の形態】
【０００６】  カゴ運搬器をそのまま前進させ、アームを床に置かれているカゴの突起の下に差し込み、片足をペダルに載せ、ハンドルを下げるとアームの先端に取り付けた前輪が床から離れ、カゴは運搬器のアームに支えられて持ち上がり、バランスを取りながらハンドルを押すことにより後輪が回転し、カゴの移動が自在となり、目的箇所に到着後、ハンドルをゆるめてカゴを床に下ろし、前輪が床に着地後、ハンドルを引いてカゴ運搬器からカゴを取り外す。
【実施例】  以下、図面により本考案の実施例について説明する。【０００７】  図１、２，３において、ハンドル１は円形鋼管を溶接しＵ字状に作られ、ハンドル１の下方先端部の両端にコの字状に円形鋼管で作られたペダル２が溶接されると共に、円形鋼管の車輪受支柱７が溶接され、車輪受支柱７の左右先端部に大型の後輪５が取り付けられ、車輪受支柱７の上方位置に円形鋼管の横支柱６を配置しハンドル１に溶接され、横支柱６の左右先端部から、先端をハの字状に広げたＬ型鋼のアーム３を先端に向かって低くなるように傾斜させて並設し、横支柱６の左右先端部とアーム３の左右後端部が溶接され、アーム３の左右の先端部近傍に小型の前輪４が取り付けられ、本体の強度を保持するために一対のＬ型鋼の斜支柱８がアーム３と後輪５に溶接され、さらに一対の円形鋼管の縦支柱９がアーム３の後端部近傍と車輪受支柱７の先端部近傍に溶接されている。また、本体は車輪を除いて防錆効果の高いステンレス鋼で作成されている。【０００８】  次に本考案のカゴ運搬器の仕様状態について、図４により説明する。運搬器の機能はテコの原理を応用しており、ハンドル１を力点、ペダル２を支点、カゴを持ち上げるアーム３を作用点とし、重量のあるカゴを小さな力で簡単に床から持ち上げることを可能にした。前輪４を小さく、後輪５を大きく設定し、アーム３の先端を低くして傾斜を持たせ、さらにアーム３の先端をハの字状に広げているので、カゴ運搬器をそのまま前進させることで、アーム３がカゴの突起の下に差し込まれる。片足をペダル２に載せ、ハンドル１を下げると前輪４は床を離れ、アーム３に支えられてカゴが持ち上がり、後輪５にカゴの重量がかかり、バランスを取りながらハンドル１を押してカゴを移動する。ハンドル１をゆるめることにより、床にカゴを下ろすことができ、前輪４が床に着地後、ハンドル１を引くことにより、スムーズにカゴ運搬器からカゴを取り外すことができる。
以上、本考案を実施例に基づいて説明してきたが、本考案はこれらに限定されるわけではないので、下記にその他の実施例を記載する。【０００９】  本考案では漁業に使用するカゴを対象としたが、図５（Ａ）のようにアーム３の長さ、傾斜、取り付け位置、両アーム３の幅を変えることにより、各用途に使われるカゴ、箱状の物以外に、植木鉢の運搬が可能になる。更に、図５（Ｂ）のようにカゴ運搬器の支柱を増やすなどして強固にするとともにアーム３の形状を変えることにより、椅子に座った人を椅子ごと運ぶことも可能になり、車椅子の代用にも成り得る。なお、ハンドルの形状をＨ字状、丁字状など、ペダルの形状も平板状など用途にあった形状にすることが可能であり、本体を構成する素材や構造も用途に合わせ、軽量化、強度の高低などを図ることができる。
【図面の簡単な説明】
【０００１０】
【図１】本考案の立体図。
【図２】本考案の側面図。
【図３】本考案の平面図。
【図４】使用状態図。
【図５】他の使用状態図。
【符号の説明】
【０００１１】  １  ハンドル
２  ペダル
３  アーム
４  前輪
５  後輪
６  横支柱
７  車輪受支柱
８  斜支柱
９  縦支柱
【図１】
0003136303.tif 000003
【図２】
0003136303.tif 000004
【図３】
0003136303.tif 000005
【図４】
0003136303.tif 000006
【図５】
0003136303.tif 000007